(57)【要約】【課題】作業者の姿勢にかかわらず内部の空気を適切に流通させる。【解決手段】衣服１００は、開口部１６１、１６２と、スペーサー収容部２１０とを有する。開口部１６１、１６２は、衣服１００の背面側裾近傍に設けられる。また、開口部１６１、１６２は、衣服１００の内部に空気を送り込むための冷却ファン（送風機）３１０、３２０を取り付け可能である。スペーサー収容部２１０は、衣服１００の内部において、背面側襟近傍における左右方向の略中央部に設けられる。また、スペーサー収容部２１０は、衣服１００の内部の空気を抜くための通風路を確保するためのスペーサー（空間確保部材）３００を収容する。【選択図】図５
2020122242.tif 000002
【特許請求の範囲】
【請求項１】
衣服の背面下部に設けられ、前記衣服の内部に空気を送り込むための送風機を取り付け可能な開口部と、
前記衣服の内部において背面上部に設けられ、前記衣服の内部の空気を抜くための通風路を確保するための空間確保部材を収容する収容部と、
を有することを特徴とする衣服。
【請求項２】
前記空間確保部材は、その長手方向からの断面視において略アーチ状の形状であり、可撓性を有する素材により構成されることを特徴とする請求項１に記載の衣服。
【請求項３】
前記収容部は、前記衣服の背面側襟近傍における左右方向の略中央部に設けられ、前記空間確保部材の長手方向を上下方向として前記空間確保部材を収容することを特徴とする請求項１または２に記載の衣服。
【請求項４】
前記空間確保部材が収容される前記収容部の左右両側に前記通風路が形成されることを特徴とする請求項１乃至３の何れかに記載の衣服。
【請求項５】
前記収容部は、左右外側面が下方に向けて漸次幅狭となるように構成されることを特徴とする請求項１乃至４の何れかに記載の衣服。
【請求項６】
前記収容部は、前記左右外側面にマチを形成するとともに、前記左右外側面の前後方向の略中央部に折曲線を形成することを特徴とする請求項５に記載の衣服。
【請求項７】
前記収容部は、前記空間確保部材を挿入するための開口部を上部に備え、前記空間確保部材の下端部の左右方向の長さよりも小さいサイズの開放部を下部に備えることにより前記収容部において前記通風路が形成されることを特徴とする請求項１乃至６の何れかに記載の衣服。
【請求項８】
前記収容部と前記衣服の生地との間に上下開放の空間を形成することを特徴とする請求項１乃至７の何れかに記載の衣服。
【請求項９】
前記開口部は、前記衣服の背面側裾近傍に設けられ、正面視において略八角形状であることを特徴とする請求項１乃至８の何れかに記載の衣服。
【発明の詳細な説明】
【技術分野】
【０００１】
本発明は、送風機を取り付け可能な衣服に関する。
【背景技術】
【０００２】
従来、夏場の高温環境下で作業する作業者の体温上昇を抑制するために外部から衣服の内部に空気を流入するための送風機を用いることが可能な衣服が存在する。このような衣服では、送風機が作業者の作業を妨げることがないように、衣服の背面側に送風機が取り付けられることが多い。
【０００３】
このような送風機を用いる衣服として、例えば、外側から空気を取り込む空気取込口と、冷却風を送出する空気送出口を有する風発生装置を装着する取付孔とが背面に形成され、冷却風を外側に排出する冷却風排出路を有する冷却風排出機構を複数備える冷却衣服が提案されている（例えば、特許文献１参照。）。
【先行技術文献】
【特許文献】
【０００４】
【特許文献１】特開２０１８−１４１２５９号公報
【発明の概要】
【発明が解決しようとする課題】
【０００５】
上述の従来技術では、所望の冷却風排出路を開状態とすることで、風発生装置から送出された冷却風を、開状態の冷却風排出路から優先的に排出することができるため、冷却を望む部分を集中的に冷却することができる。
【０００６】
しかし、作業中に作業者が背中を丸めた姿勢になると、作業者の背中部分に衣服が部分的に密着し、衣服内部の空気の流れが遮断される虞がある。
【０００７】
本発明は、上述した問題点に鑑みてなされたものであり、作業者の姿勢にかかわらず内部の空気を適切に流通させることができる衣服を提供することを目的とする。
【課題を解決するための手段】
【０００８】
本発明の第１の態様は、衣服の背面下部に設けられ、前記衣服の内部に空気を送り込むための送風機を取り付け可能な開口部と、前記衣服の内部において背面上部に設けられ、前記衣服の内部の空気を抜くための通風路を確保するための空間確保部材を収容する収容部と、を有することを特徴とする衣服である。
【０００９】
また、この第１の態様において、前記空間確保部材は、その長手方向からの断面視において略アーチ状の形状であり、可撓性を有する素材により構成されるようにしてもよい。
【００１０】
また、この第１の態様において、前記収容部は、前記衣服の背面側襟近傍における左右方向の略中央部に設けられ、前記空間確保部材の長手方向を上下方向として前記空間確保部材を収容するようにしてもよい。
【００１１】
また、この第１の態様において、前記空間確保部材が収容される前記収容部の左右両側に前記通風路が形成されるようにしてもよい。
【００１２】
また、この第１の態様において、前記収容部は、左右外側面が下方に向けて漸次幅狭となるように構成されるようにしてもよい。
【００１３】
また、この第１の態様において、前記収容部は、前記左右外側面にマチを形成するとともに、前記左右外側面の前後方向の略中央部に折曲線を形成するようにしてもよい。
【００１４】
また、この第１の態様において、前記収容部は、前記空間確保部材を挿入するための開口部を上部に備え、前記空間確保部材の下端部の左右方向の長さよりも小さいサイズの開放部を下部に備えることにより前記収容部において前記通風路が形成されるようにしてもよい。
【００１５】
また、この第１の態様において、前記収容部と前記衣服の生地との間に上下開放の空間を形成するようにしてもよい。
【００１６】
また、この第１の態様において、前記開口部は、前記衣服の背面側裾近傍に設けられ、正面視において略八角形状とするようにしてもよい。
【００１７】
このような態様を採ることにより、衣服の内部における背面上部に設けられる収容部に空間確保部材を収容することにより、収容部の近傍において通風路が形成されるという作用をもたらす。
【発明の効果】
【００１８】
本発明によれば、作業者の姿勢にかかわらず衣服内部の空気を適切に流通させることができる。
【図面の簡単な説明】
【００１９】
【図１】本発明の実施の形態における衣服の外観構成例を示す正面図である。
【図２】本発明の実施の形態における衣服の外観構成例を示す背面図である。
【図３】本発明の実施の形態における衣服の裏地の構成例を示す図である。
【図４】本発明の実施の形態における衣服に冷却ファンを取り付けた場合の外観構成例を示す正面図である。
【図５】本発明の実施の形態における衣服に冷却ファンを取り付けた場合の裏地の構成例を示す図である。
【図６】本発明の実施の形態における通風路およびスペーサー収容部の構成例を示す断面図および斜視図である。
【図７】本発明の実施の形態におけるスペーサーの外観構成例を示す斜視図および上面図である。
【図８】本発明の実施の形態におけるスペーサーをスペーサー収容部に収納する場合の構成例を示す断面図である。
【図９】本発明の実施の形態におけるスペーサーをスペーサー収容部に収納した場合の衣服の内部における空気の流れの一例を示す図である。
【発明を実施するための形態】
【００２０】
次に、図面を参照して、本発明を実施するための形態（以下、実施の形態と称する）を説明する。
【００２１】
［衣服の構成例］
図１は、本発明の実施の形態における衣服１００の外観構成例を示す正面図である。また、図２は、本発明の実施の形態における衣服１００の外観構成例を示す背面図である。また、図３は、本発明の実施の形態における衣服１００の裏地の構成例を示す図である。なお、本発明の実施の形態では、説明を容易にするため、衣服１００における縫製部分、ポケット等については、簡略化して示す。
【００２２】
また、図４は、本発明の実施の形態における衣服１００に冷却ファン３１０、３２０を取り付けた場合の外観構成例を示す正面図である。また、図５は、本発明の実施の形態における衣服１００に冷却ファン３１０、３２０を取り付けた場合の裏地の構成例を示す図である。
【００２３】
衣服１００は、身体の上半身を覆う形状の服であり、外部から衣服内部に空気を流入するための冷却ファン３１０、３２０を取り付け可能な衣服である。例えば、夏場の高温環境下で作業する作業者が、冷却ファン３１０、３２０を取り付けた衣服１００を着衣することにより体温上昇を抑制することができる。このように、冷却ファン３１０、３２０が取り付けられた衣服１００は、ファン付き衣料品として把握することができる。
【００２４】
なお、本発明の実施の形態では、袖がなく、胸、腹、背中を覆う生地（シート状素材）により生成されるベスト（チョッキ）を衣服１００として示す。また、衣服１００の生地として、例えば、通気性の小さいシート状素材や、通気性のないシート状素材を用いることができる。例えば、衣服１００の生地として、一枚のシート状素材（例えば、ポリ系の樹脂）を採用し、裏地には所定のコーティング（例えば、アルミニウム加工、チタン加工等の気密加工）を施すことにより衣服１００の気密性を高めることができる。
【００２５】
また、衣服１００の前部には、作業者が衣服１００を着衣する際に前部を開閉するためのファスナー１４０が設けられる。また、衣服１００の前部における下部分には、ポケット１５１、１５２が設けられるとともに、衣服１００の前部における上部分には、ファスナー付胸ポケット１５３が設けられる。
【００２６】
また、衣服１００の左右の袖ぐり１２１、１２２と、衣服１００の下部の裾部１３０とには、伸縮性のある部材（例えば、ゴム）が縫い込まれている。例えば、袖ぐり１２１、１２２と裾部１３０とには、ギャザーが施されている。このように、袖ぐり１２１、１２２にギャザーが施されることにより、右腕が通る袖ぐり１２１が右腕に密着するようになるとともに、左腕が通る袖ぐり１２２が左腕に密着するようになる。このため、衣服１００の内部の空気が袖ぐり１２１、１２２から外部に漏れることを防止することができる。同様に、裾部１３０にギャザーが施されることにより、裾部１３０が身体の腰に密着するようになるため、衣服１００の内部の空気が裾部１３０から外部に漏れることを防止することができる。
【００２７】
また、図３に示すように、衣服１００の背中部分には、冷却ファン３１０、３２０（図４、図５に示す）を取り付けるための開口部１６１、１６２が設けられる。開口部１６１、１６２は、正面視で略八角形状の貫通孔である。また、開口部１６１、１６２は、冷却ファン３１０、３２０が衣服１００の内部に空気を取り込むための空気取込口として機能する。このように、衣服１００は背面側裾近傍において正面視で略八角形状の開口部１６１、１６２を備える。
【００２８】
なお、開口部１６１、１６２に冷却ファン３１０、３２０を取り付けた場合には、冷却ファン３１０、３２０の重さで開口部１６１、１６２の周囲の生地が折り曲がってしまうおそれがある。そこで、開口部１６１、１６２の周囲については、補強処理を施すことが好ましい。例えば、開口部１６１、１６２の周囲の生地には、所定のシート状素材（例えば、生地と同一の素材、他の樹脂、ワッペン）を重ねることにより、開口部１６１、１６２の周囲を補強することができる。
【００２９】
図５に示すように、冷却ファン３１０、３２０は、冷却ファン３１０、３２０を駆動するためのバッテリー３３０と、冷却ファン３１０、３２０とバッテリー３３０とを電気的に接続するケーブル３１１、３２１、３３１とを備える。例えば、バッテリー３３０には、冷却ファン３１０、３２０をオンオフするためのスイッチや、冷却ファン３１０、３２０の風量調整（例えば、四段階）のための操作部を備えることができる。
【００３０】
また、図３、図５に示すように、衣服１００の背中に該当する部分の裏地には、冷却ファン３１０、３２０のバッテリー３３０を収容するバッテリー収容部１８０と、冷却ファン３１０のケーブル３１１を保持するケーブル保持部１７１と、冷却ファン３１０、３２０のケーブル３３１を保持するケーブル保持部１７４とを設けている。
【００３１】
バッテリー収容部１８０は、開口部１６２の近傍に設けられる内ポケットであり、冷却ファン３１０、３２０のバッテリー３３０を収容することが可能なサイズに構成している。また、バッテリー収容部１８０の上部には内ポケットの開口部を閉じるための面ファスナー１８１を配設しており、この面ファスナー１８１で開口部を閉塞することで収納したバッテリー３３０の飛び出しを防止している。
【００３２】
図３に示すように、ケーブル保持部１７１には、冷却ファン３１０、３２０のケーブルを固定するための面ファスナー１７２、１７３が設けられる。そして、図５に示すように、冷却ファン３１０を衣服１００に取り付ける場合に、冷却ファン３１０のケーブル３１１を面ファスナー１７２、１７３の間に配置し、面ファスナー１７３が配設された布体を折曲して面ファスナー１７２に固定することで冷却ファン３１０のケーブル３１１をケーブル保持部１７１に固定できる。
【００３３】
また、ケーブル保持部１７４には、冷却ファン３１０、３２０のケーブル３３１を固定するための面ファスナー１７５、１７６を設けている。冷却ファン３１０、３２０を衣服１００に取り付ける場合、図５に示すように、冷却ファン３１０、３２０に接続されるケーブル３３１を面ファスナー１７５、１７６の間に配置し、面ファスナー１７６が配設された布体を折曲して面ファスナー１７５と面ファスナー１７６とを貼着することでケーブル３３１を固定できる。
【００３４】
また、衣服１００の背中部分の裏地には、衣服１００の背面上部に空気を抜くための通風路を２００およびスペーサー収容部２１０を設けている。なお、通風路２００およびスペーサー収容部２１０については、図６乃至図８を参照して詳細に説明する。
【００３５】
［流通路の構成例］
図６は、本発明の実施の形態における通風路２００およびスペーサー収容部２１０の構成例を示す断面図および斜視図である。図６（１）には、衣服１００の左右側面視における通風路２００およびスペーサー収容部２１０の断面図を示す。また、図６（２）には、衣服１００の上側から見た場合の通風路２００およびスペーサー収容部２１０の斜視図を示す。
【００３６】
通風路２００は、衣服１００の背面上部に設けられる空気流通路である。この通風路２００は、衣服１００の背面側から正面側に向かって衣服１００とは別体に構成された布体２０１を衣服１００に縫製することで衣服１００を構成する生地１０１と布体２０１との間に形成されている。なお、布体２０１は、略長方形状の空気を通さない布（１枚または複数枚）で構成している。
【００３７】
布体２０１の左右端部には縫製部２１５、２１７を構成しており、この縫製部２１５、２１７が衣服１００に縫製される。布体２０１は縫製部２１５、２１７を衣服１００に縫製することで衣服１００の生地１０１の前方側に位置する。このように布体２０１を衣服１００に縫製することで、布体２０１と生地１０１と縫製部２１５、２１７とで囲まれた上下開放の空気流通路２３０が形成される。
【００３８】
また、布体２０１の前方側には、スペーサー３００を収容するスペーサー収容部２１０を縫製している。スペーサー収容部２１０は、衣服１００を着衣した状態で作業者の背中上部と、衣服１００の背面側上部との間に設けられる空間確保手段である。また、スペーサー収容部２１０は、略長方形状の空気を通さない布体２１８で構成される。なお、布体２０１及び布体２１８は同一の素材でも異なる素材で構成されていてもよい。また、スペーサー収容部２１０の上下方向（図６（１）における左右方向）の長さＬ１は、例えば、２０ｃｍ程度とすることができる。
【００３９】
また、スペーサー収容部２１０の左右両端部の縫製部２１５、２１７が衣服１００に縫製される。すなわち、布体２０１の左右端部と布体２１８の左右端部とが衣服１００に一体に縫製されることで、布体２０１の前方側にスペーサー収容部２１０が配置される。また、スペーサー収容部２１０の開口部２２１の開口形状は略方形状である。
【００４０】
また、布体２１８の下端部は布体２０１に縫製されて縫製部２１６を構成している。この縫製部２１６は一部を無縫製とすることで開放部２２２を設けている。このように開放部２２２を形成することでスペーサ収容部２１０に上下開放の空間を形成している。この空間は、空気流通路として機能する。なお、図６（２）では、縫製部２１６の開放部２２２に相当する部分を円形の点線で示している。また、スペーサー収容部２１０の下端部に位置する開放部２２２の幅員は、図７に示すように、スペーサー３００の下端部３０１の径よりも小さい値となるように構成している。すなわち、スペーサー収容部２１０は、スペーサー３００の下端部３０１の左右方向の長さよりも小さいサイズの開放部２２２を下部に備える。
【００４１】
また、スペーサー収容部２１０の左右外側面は、下方に向けて漸次幅狭となるように縫製している。このようにスペーサー収容部２１０の両端部を衣服１００に縫製することでスペーサー収容部２１０内の収容空間を漸次幅狭となるように構成できる。すなわち、スペーサー収容部２１０内の空間をスペーサー３００と略同一の形状となるように構成している。
【００４２】
また、スペーサー収容部２１０の左右外側面には、前後方向の略中央部に折曲部２１３、２１４を構成している。この折曲部２１３、２１４を構成することでスペーサー収容部２１０の左右外側面にマチが形成される。このようにスペーサー収容部２１０の左右外側面にマチを構成することで、作業者が衣服１００を着用した際に他の空気流通路が閉塞されるような場合でも、マチおよび折曲部２１３、２１４が空気流通路となり、衣服１００内部の空気を確実に排気できる。
【００４３】
スペーサー収容部２１０は、衣服１００の背面側襟近傍における左右方向の略中央部に設けられる。スペーサー収容部２１０は、スペーサー３００を収容するポケットとして機能しつつポケットの外側側面に流路を形成することができる。また、スペーサー収容部２１０は、衣服１００の内部を流れる空気の仕切りとしても機能する。すなわち、スペーサー収容部２１０の左右外側面の折曲部２１３、２１４に沿って衣服１００の内部を流通する空気流通路が形成される。
【００４４】
また、スペーサー収容部２１０の上端部には開口部２２１及び開放部２２２を構成している。このように、スペーサー収容部２１０の外側側に流路を構成するとともに、スペーサー収容部２１０の内部に別の流路を形成することで衣服１００内部から空気を確実に排出できる。
【００４５】
さらに、スペーサー収容部２１０の背面側、すなわち、生地１０１と布体２０１の間に空気流通路２３０が形成される。このように、スペーサー収容部２１０の外側側に流路を形成するとともに、スペーサー収容部２１０の背面側にも別の流路（空気流通路２３０）を形成することができる。
【００４６】
［スペーサーの構成例］
図７は、本発明の実施の形態におけるスペーサー３００の外観構成例を示す斜視図および上面図である。図７（１）には、スペーサー３００の斜視図を示す。また、図７（２）には、スペーサー３００の上面図を示す。
【００４７】
スペーサー３００は、衣服１００の内部において空気が通る空間を確保するための空間確保部材である。本発明の実施の形態では、長手方向の下端部３０１から上端部３０２を結ぶ方向からの断面視において略アーチ状の部材をスペーサー３００として用いる例を示す。また、本発明の実施の形態では、可撓性を有する素材（例えば、弾性素材）によりスペーサー３００を構成する例を示す。なお、可撓性を有する素材として、例えば、ゴム、樹脂（例えば、ＥＶＡ（Ethylene Vinyl Acetate Copolymer）樹脂）、シリコンを用いることができる。
【００４８】
また、スペーサー３００は、スペーサー収容部２１０に挿脱自在に配置される。このため、スペーサー３００の形状は、スペーサー収容部２１０に収納できるようにスペーサー収容部２１０の収納形態と略同一形状とすることが好ましい。例えば、スペーサー３００は、上方から下方にかけて漸次幅狭となるように構成することができる。すなわち、図７（２）に示すように、スペーサー３００の上端部３０２よりもスペーサー３００の下端部３０１の方が幅狭となる。
【００４９】
また、スペーサー３００の上側部３０３が、衣服１００を着衣した作業者の背中に当たる部分となる。
【００５０】
また、スペーサー３００の厚みＴＨ１は、３乃至４ｍｍ程度とすることができる。すなわち、スペーサー３００の上側部３０３（アーチ状の上側部分）から力が加わったような場合には、スペーサー３００が上下方向（アーチ状の上下方向）に潰れるような構成としている。この構成により、衣服１００を着衣した作業者の背中にスペーサー３００の上側部３０３が接触したとしても、スペーサー３００が前後方向に潰れて作業者に与える反力を軽減できる。
【００５１】
なお、図７に示すスペーサー３００は、空間確保部材の一例であり、他の形状のスペーサーを空間確保部材として採用するようにしてもよい。
【００５２】
［スペーサーの配置例］
図８は、本発明の実施の形態におけるスペーサー３００をスペーサー収容部２１０に収納する場合の構成例を示す断面図である。図８（１）には、スペーサー３００をスペーサー収容部２１０に収納する前の状態を示す。また、図８（２）には、スペーサー３００をスペーサー収容部２１０に収納した状態を示す。
【００５３】
スペーサー３００をスペーサー収容部２１０に収容する場合には、図８（１）に示すように、幅狭の下端部３０１を下側（図８（１）では左側）にして開口部２２１からスペーサー収容部２１０に挿入する（矢印１０方向に挿入する）。
【００５４】
そして、スペーサー３００をスペーサー収容部２１０に収容した後には、図８（２）に示すように、面ファスナー２１１、２１２を貼り付けることにより、スペーサー収容部２１０の開口部２２１を閉じることができる。これにより、スペーサー３００がスペーサー収容部２１０から飛び出すことを防止することができる。このように、スペーサー３００をスペーサー収容部２１０に収容することで、正面視においてスペーサー３００は逆三角形状に固定される。
【００５５】
さらに、スペーサー３００をスペーサー収容部２１０に収容することにより、衣服１００と身体との間において、少なくともスペーサー収容部２１０の左右方向の両側に空気流通路を構成できる。
【００５６】
また、スペーサー３００をスペーサー収容部２１０に収容することにより、衣服１００と身体との間において、少なくともスペーサー収容部２１０の内部（または、スペーサー３００の内部）に空気流通路を確保することができる。なお、面ファスナー２１１、２１２により開口部２２１の一部が閉じられるが一部は開放状態のため面ファスナー２１１、２１２が空気流通を阻害する虞はない。
【００５７】
また、スペーサー３００がスペーサー収容部２１０に収容された状態では、衣服１００を着衣した作業者の背中に当たる部分は、スペーサー３００の上側部３０３となる。ここでスペーサ３００は可撓性の弾性材料で構成しており、外部から荷重がかかるとスペーサー３００が潰れるような構成であり、作業者の背中上部に位置するスペーサー３００に対して作業者が違和感を持つことを防止することができる。
【００５８】
［衣服の内部における空気の流れ例］
図９は、本発明の実施の形態におけるスペーサー３００をスペーサー収容部２１０に収納した場合の衣服１００の内部における空気の流れの一例を示す図である。図９には、衣服１００を着衣した作業者の後ろ姿を簡略化して示す。また、図９には、衣服１００の開口部１６１、１６２に冷却ファン３１０、３２０を取り付けた場合の例を示す。
【００５９】
冷却ファン３１０、３２０は、駆動部（例えば、モータ）と、その駆動部により回転させる羽体とを備える送風機である。そして、冷却ファン３１０、３２０の羽体が回転することにより、衣服１００の外部の空気が開口部１６１、１６２を介して衣服１００の内部に送り込まれる。
【００６０】
例えば、冷却ファン３１０、３２０により衣服１００の内部に送り込まれた空気は、作業者の身体（または、衣服１００の内側に身に着けている衣服）に当たり拡散される。また、冷却ファン３１０、３２０により衣服１００の内部に空気が順次送り込まれるため、衣服１００の内部に空気が溜まる。このため、衣服１００の内部に溜められた空気が、衣服１００の外部に順次排出されることになる。
【００６１】
本発明の実施の形態では、衣服１００の背中部分の上部（襟部１１０の下側）に設けられるスペーサー収容部２１０にスペーサー３００が配置される。このため、少なくともスペーサー収容部２１０の左右方向の両側に空気流通路が確保される。これにより、冷却ファン３１０、３２０の作動で衣服１００の内部に送り込まれた空気は、例えば、矢印２１乃至２４に示すように、スペーサー収容部２１０の左側の空気流通路を経由して襟部１１０から外部に排出される。また、冷却ファン３１０、３２０により衣服１００の内部に送り込まれた空気は、例えば、矢印２５乃至２８に示すように、スペーサー収容部２１０の右側の空気流通路を経由して襟部１１０から外部に排出される。
【００６２】
また、本発明の実施の形態では、スペーサー収容部２１０の下端部に位置する縫製部２１６が開放部２２２（図８（２）に示す）により一部開放される。なお、面ファスナー２１１、２１２によりスペーサー収容部２１０の開口部２２１の一部が閉じられるが一部は開放される。このため、スペーサー収容部２１０の内部（または、スペーサー３００の内部）においても空気流通路が形成される。これにより、冷却ファン３１０、３２０の作動で衣服１００の内部に送り込まれた空気は、例えば、矢印３１乃至３４に示すように、スペーサー収容部２１０の内部の空気流通路を経由して襟部１１０から外部に排出される。
【００６３】
また、本発明の実施の形態では、スペーサー収容部２１０の背面側にも通風路２００が形成される。このため、スペーサー収容部２１０の背面側においても空気流通路が形成される。これにより、冷却ファン３１０、３２０の作動で衣服１００の内部に送り込まれた空気は、例えば、矢印３１乃至３４に示すように、スペーサー収容部２１０の背面側の空気流通路を経由して襟部１１０から外部に排出される。
【００６４】
このように、本発明の実施の形態によれば、衣服１００の内部において通風路を確実に確保することができ、衣服１００を着衣した作業者の姿勢により通風路が遮断されることを防止することができる。これにより、通風路により空気を効率的に排出できるとともに、身体を効率的に冷却できる。すなわち、衣服１００を着衣した作業者を適切に冷却できる。
【００６５】
なお、本発明の実施の形態では、正面視で略円形状の冷却ファン３１０、３２０を用いる例を示した。ただし、衣服１００の開口部１６１、１６２が正面視で略八角形状であるため、冷却ファン３１０、３２０の形状も正面視で略八角形状とするようにしてもよい。このように、衣服１００の開口部１６１、１６２の形状と、冷却ファンの形状とを、正面視で略八角形状とすることにより、冷却ファンを衣服１００に取り付ける際には、各頂点が対応する頂点に合うように冷却ファンを開口部１６１、１６２に取り付けることができる。このように、衣服１００の開口部１６１、１６２の形状と、冷却ファンの形状とを、正面視で略八角形状とすることにより、これらの双方が正面視で円形状の場合と比較して取り付けやすくすることができる。また、冷却ファンの形状を多角形状とすることにより、冷却ファンを固定するための固定部材（例えば、ねじ）が緩むことを防止することができる。また、冷却ファンの形状を多角形状とすることにより、冷却ファン自体が回転することを防止することができる。
【００６６】
また、本発明の実施の形態では、衣服１００の開口部１６１、１６２の形状を正面視で略八角形状とする例を示した。ただし、本発明は、これに限定されない。例えば、衣服１００の開口部１６１、１６２の形状を、八角形状以外の他の多角形状（例えば、四角形状、六角形状）とするようにしてもよく、他の形状（例えば、円形状、楕円形状）とするようにしてもよい。
【００６７】
また、本発明の実施の形態では、衣服１００の２つの開口部１６１、１６２に、２つの冷却ファン３１０、３２０を取り付ける例を示した。ただし、本発明は、これに限定されない。例えば、衣服１００に１または３以上の開口部を設け、これらの開口部に応じた数の冷却ファンを衣服１００に取り付けるようにしてもよい。
【００６８】
また、本発明の実施の形態では、袖がないベスト（チョッキ）を衣服１００の一例として示した。ただし、本発明はこれに限定されない。例えば、袖がある衣服についても本発明の実施の形態を適用することができる。
【００６９】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００７０】
１００  衣服
１０１  生地
１１０  襟部
１２１、１２２  袖ぐり
１３０  裾部
１４０  ファスナー
１５１、１５２  ポケット
１５３  ファスナー付胸ポケット
１６１、１６２  開口部
１７１、１７４  ケーブル保持部
１７２、１７３、１７５、１７６、１８１、２１１、２１２  面ファスナー
１８０  バッテリー収容部
２００  通風路
２０１、２１８  布体
２１０  スペーサー収容部
２１３、２１４  折曲部
２１５〜２１７  縫製部
２２１  開口部
２２２  開放部
２３０  空気流通路
３００  スペーサー
３１０、３２０  冷却ファン
３１１、３２１、３３１  ケーブル
３３０  バッテリー
【図１】
2020122242.tif 000003
【図２】
2020122242.tif 000004
【図３】
2020122242.tif 000005
【図４】
2020122242.tif 000006
【図５】
2020122242.tif 000007
【図６】
2020122242.tif 000008
【図７】
2020122242.tif 000009
【図８】
2020122242.tif 000010
【図９】
2020122242.tif 000011